(57)【要約】  無線マルチセル通信システムにおける無線送受信ユニット（ＷＴＲＵ）によって使用される、セルを選択し、および再選択するための無線通信方法および装置。ＷＴＲＵは、複数の指向性ビームパターンおよび無指向性ビームパターンを形成するように構成された切り替えビームアンテナを含む。ＷＴＲＵは、指向性ビームパターンおよび無指向性ビームパターンを用いて複数のセルからの信号を測定する。ＷＴＲＵは、最強の信号を有するセルを選択し、そのセルに登録する。一実施形態では、ＷＴＲＵは、最強の信号を有する指向性ビームを選択し、そのビームをアクティブビームとして使用し、選択セルと通信する。別の実施形態では、ＷＴＲＵは、セルとビームとの組み合わせを選択し、選択ビームを用いて選択セルに登録する。さらに別の実施形態では、ＷＴＲＵは、選択セルよりも良い信号測定結果を有する近傍セルへのハンドオフを開始する。
2007525893.tif 000002
【特許請求の範囲】
【請求項１】
複数の指向性ビームパターンおよび無指向性ビームパターンを生成する切り替えビームアンテナを含むように構成される、少なくとも１つの無線送受信ユニット（ＷＴＲＵ）および複数のセルを含む無線通信システムにおいて、セル選択方法は、
（ａ）前記ＷＴＲＵが、前記無指向性ビームパターンを用いて、前記セルから受信した信号の測定を実行するステップと、
（ｂ）前記ＷＴＲＵが、ステップ（ａ）で実行した前記測定の結果に基づいて、最強の信号を有するセルを選択し、該セルに登録するステップと、
（ｃ）前記ＷＴＲＵが、前記指向性ビームパターンを用いて、選択セルから受信した信号の測定を実行するステップと、
（ｄ）前記ＷＴＲＵが、ステップ（ｃ）で実行した前記測定の結果に基づいて、前記選択セルとの通信に用いられるアクティブビームとして、最強の信号を有する指向性ビームを選択するステップと
を備えたことを特徴とする方法。
【請求項２】
複数の指向性ビームパターンおよび無指向性ビームパターンを生成する切り替えビームアンテナを含むように構成される、少なくとも１つの無線送受信ユニット（ＷＴＲＵ）および複数のセルを含む無線通信システムにおいて、セル選択方法は、
（ａ）前記ＷＴＲＵが、前記指向性ビームパターンまたは前記無指向性ビームパターンを用いて前記セルから受信した信号の測定を実行するステップと、
（ｂ）前記ＷＴＲＵが、ステップ（ａ）で実行した前記測定の結果に基づいて、最強の信号を有するセルとビームとの組み合わせを選択するステップと、
（ｃ）前記ＷＴＲＵが、選択セルとの通信に用いられるアクティブビームとして、選択ビームを用いて、前記選択セルに登録するステップと
を備えたことを特徴とする方法。
【請求項３】
（ｄ）前記選択ビームが無指向性ビームパターンでない場合、前記指向性ビームパターンと前記セルとの最良の組み合わせを示す測定結果と、前記無指向性ビームパターンと前記セルとの最良の組み合わせを示す測定結果とを比較するステップをさらに備えたことを特徴とする請求項２に記載の方法。
【請求項４】
前記指向性ビームパターンに関連付けられた前記測定結果が、前記無指向性ビームパターンに関連付けられた前記測定結果を所定の閾値だけ超える場合、前記指向性ビームパターンを選択し、
前記指向性ビームパターンに関連付けられた前記測定結果が、前記無指向性ビームパターンに関連付けられた前記測定結果を超えない場合、前記無指向性ビームパターンを選択することを特徴とする請求項３に記載の方法。
【請求項５】
複数の指向性ビームパターンおよび無指向性ビームパターンを生成する切り替えビームアンテナを含むように構成される、少なくとも１つの無線送受信ユニット（ＷＴＲＵ）および複数のセルを含む無線通信システムにおいて、セル選択方法は、
（ａ）前記ＷＴＲＵが、前記無指向性ビームパターンを用いて前記セルから受信した信号の測定を実行するステップと、
（ｂ）前記ＷＴＲＵが、ステップ（ａ）で実行した前記測定の結果に基づいて、前記セルのサブセットを選択するステップと、
（ｃ）前記ＷＴＲＵが、前記指向性ビームパターンのそれぞれを用いて前記セルのそれぞれから受信した信号の測定を実行するステップと、
（ｄ）前記ＷＴＲＵが、ステップ（ｃ）で実行した前記測定の結果に基づいて、最強の信号を有するセルとビームとの組み合わせを選択するステップと、
（ｅ）前記ＷＴＲＵが、選択セルとの通信に用いられるアクティブビームとして選択ビームを用いて、前記選択セルに登録するステップと
を備えたことを特徴とする方法。
【請求項６】
複数の指向性ビームパターンおよび無指向性ビームパターンを生成する切り替えビームアンテナを含むように構成される、少なくとも１つの無線送受信ユニット（ＷＴＲＵ）および複数のセルを含む無線通信システムにおいて、セル再選択方法は、
（ａ）前記ＷＴＲＵが、選択セルに登録し、前記選択セルとの通信に通常用いられるアクティブビームを用いて、前記選択セルの近傍セルから受信した信号の測定を実行するステップと、
（ｂ）前記ＷＴＲＵが、ステップ（ａ）で実行した前記測定の結果に基づいて、前記近傍セルのサブセットを選択するステップと、
（ｃ）前記ＷＴＲＵが、前記指向性ビームパターンまたは前記無指向性ビームパターンを用いて、前記サブセット内の前記近傍セルのそれぞれから受信した信号の測定を実行するステップと、
（ｄ）前記サブセット内の前記近傍セルから受信した前記信号の最強の測定結果が、前記選択セルから受信した信号の最良の測定結果よりも高い場合、前記ＷＴＲＵが、前記選択セルから前記最強の測定結果を有する前記サブセット内の前記近傍セルへのセルハンドオフを開始するステップと
を備えたことを特徴とする方法。
【請求項７】
前記サブセット内の前記近傍セルから受信した前記信号の前記最強の測定結果が、前記選択セルから受信した前記信号の前記最良の測定結果を所定の閾値だけ超える場合、前記セルハンドオフを開始することを特徴とする請求項６に記載の方法。
【請求項８】
前記所定の閾値はゼロであることを特徴とする請求項７に記載の方法。
【請求項９】
複数の指向性ビームパターンおよび無指向性ビームパターンを生成する切り替えビームアンテナを含むように構成される、少なくとも１つの無線送受信ユニット（ＷＴＲＵ）および複数のセルを含む無線通信システムにおいて、セル再選択方法は、
（ａ）前記ＷＴＲＵが、選択セルに登録し、前記選択セルとの通信に通常用いられるアクティブビームを用いて、前記選択セルの近傍セルから受信した信号の測定を実行するステップと、
（ｂ）前記ＷＴＲＵが、ステップ（ａ）で実行した前記測定の結果に基づいて、前記近傍セルの第１のサブセットを選択するステップと、
（ｃ）前記ＷＴＲＵが、前記無指向性ビームパターンを用いて、前記第１のサブセット内の前記近傍セルのそれぞれから受信した信号の測定を実行するステップと、
（ｄ）前記ＷＴＲＵが、ステップ（ｃ）で実行した前記測定の結果に基づいて、前記第１のサブセット内の前記近傍セルの第２のサブセットを選択するステップと、
（ｅ）前記ＷＴＲＵが、前記指向性ビームパターンを用いて、前記第２のサブセット内の前記近傍セルのそれぞれから受信した信号の測定を実行するステップと、
（ｆ）前記第２のサブセット内の前記近傍セルから受信した前記信号の最強の測定結果が、前記選択セルから受信した前記信号の最良の測定結果よりも高い場合、前記ＷＴＲＵが、前記選択セルから前記最強の測定結果を有する前記第２のサブセット内の前記近傍セルへのセルハンドオフを開始するステップと
を備えたことを特徴とする方法。
【請求項１０】
前記第２のサブセット内の前記近傍セルから受信した前記信号の前記最強の測定結果が、前記選択セルから受信した前記信号の前記最良の測定結果を所定の閾値だけ超える場合、セルハンドオフを開始することを特徴とする請求項９に記載の方法。
【請求項１１】
前記所定の閾値はゼロであることを特徴とする請求項１０に記載の方法。
【請求項１２】
複数の指向性ビームパターンおよび無指向性ビームパターンを生成する切り替えビームアンテナを含むように構成される、少なくとも１つの無線送受信ユニット（ＷＴＲＵ）および複数のセルを含む無線通信システムにおいて、セル再選択方法は、
（ａ）前記ＷＴＲＵが、選択セルに登録し、前記無指向性ビームパターンを用いて、前記選択セルの近傍セルから受信した信号の測定を実行するステップと、
（ｂ）前記ＷＴＲＵが、ステップ（ａ）で実行した前記測定の結果に基づいて、前記近傍セルのサブセットを選択するステップと、
（ｃ）前記ＷＴＲＵが、前記指向性ビームパターンを用いて、前記サブセット内の前記近傍セルのそれぞれから受信した信号の測定を実行するステップと、
（ｄ）前記サブセット内の前記近傍セルから受信した前記信号の最強の測定結果が、前記選択セルから受信した信号の最良の測定結果よりも高い場合、前記ＷＴＲＵが、前記選択セルから前記最強の測定結果を有する前記サブセット内の前記近傍セルへのセルハンドオフを開始するステップと
を備えたことを特徴とする方法。
【請求項１３】
前記サブセット内の前記近傍セルから受信した前記信号の前記最強の測定結果が、前記選択セルから受信した前記信号の前記最良の測定結果を所定の閾値だけ超える場合、セルハンドオフを開始することを特徴とする請求項１２に記載の方法。
【請求項１４】
前記所定の閾値はゼロであることを特徴とする請求項１２に記載の方法。
【請求項１５】
複数のセルを含む無線通信システムにおける無線送受信ユニット（ＷＴＲＵ）であって、
（ａ）複数の指向性ビームパターンおよび無指向性ビームパターンを生成する切り替えビームアンテナと、
（ｂ）前記無指向性ビームパターンを用いて、前記セルから受信した信号の測定を実行する手段と、
（ｃ）前記無指向性ビームパターンを用いて実行した前記測定の結果に基づいて、最強の信号を有するセルを選択し、該セルに登録する手段と、
（ｄ）前記指向性ビームパターンを用いて、前記選択セルから受信した信号の測定を実行する手段と、
（ｅ）前記指向性ビームパターンを用いて実行した前記測定の結果に基づいて、前記選択セルとの通信に用いられるアクティブビームとして、前記最強の信号を有する指向性ビームを選択する手段と
を備えたことを特徴とする無線送受信ユニット（ＷＴＲＵ）。
【請求項１６】
複数のセルを含む無線通信システムにおける無線送受信ユニット（ＷＴＲＵ）であって、
（ａ）複数の指向性ビームパターンおよび無指向性ビームパターンを生成する切り替えビームアンテナと、
（ｂ）前記指向性ビームパターンまたは前記無指向性ビームパターンを用いて、前記セルから受信した信号の測定を実行する手段と、
（ｃ）前記指向性ビームパターンまたは前記無指向性ビームパターンを用いて実行した前記測定の結果に基づいて、最強の信号を有するセルとビームとの組み合わせを選択する手段と、
（ｄ）前記選択セルとの通信に用いられるアクティブビームとして選択ビームを用いて、前記選択セルに登録する手段と
を備えたことを特徴とする無線送受信ユニット（ＷＴＲＵ）。
【請求項１７】
（ｅ）前記選択ビームが無指向性ビームパターンでない場合、指向性ビームパターンとセルとの最良の組み合わせを示す測定結果と、無指向性ビームパターンとセルとの最良の組み合わせを示す測定結果とを比較する手段をさらに備えたことを特徴とする請求項１６に記載の無線送受信ユニット（ＷＴＲＵ）。
【請求項１８】
前記指向性ビームパターンに関連付けられた前記測定結果が前記無指向性ビームパターンに関連付けられた前記測定結果を所定の閾値だけ超えた場合、前記指向性ビームパターンを選択し、
前記指向性ビームパターンに関連付けられた前記測定結果が前記無指向性ビームパターンに関連付けられた前記測定結果を超えない場合、前記無指向性ビームパターンを選択することを特徴とする請求項１７に記載の無線送受信ユニット（ＷＴＲＵ）。
【請求項１９】
複数のセルを含む無線通信システムにおける無線送受信ユニット（ＷＴＲＵ）であって、
（ａ）複数の指向性ビームパターンおよび無指向性ビームパターンを生成する切り替えビームアンテナと、
（ｂ）前記無指向性ビームパターンを用いて、前記セルから受信した信号の測定を実行する手段と、
（ｃ）前記無指向性ビームパターンを用いて実行した前記測定の結果に基づいて、前記セルのサブセットを選択する手段と、
（ｄ）前記指向性ビームパターンのそれぞれを用いて、前記セルのそれぞれから受信した信号の測定を実行する手段と、
（ｅ）前記指向性ビームパターンのそれぞれを用いて実行した前記測定の結果に基づいて、最強の信号を有するセルとビームとの組み合わせを選択する手段と、
（ｆ）前記選択セルとの通信に用いられるアクティブビームとして選択ビームを用いて、前記選択セルに登録する手段と
を備えたことを特徴とする無線送受信ユニット（ＷＴＲＵ）。
【請求項２０】
複数のセルを含む無線通信システムにおける無線送受信ユニット（ＷＴＲＵ）であって、
（ａ）複数の指向性ビームパターンおよび無指向性ビームパターンを生成する切り替えビームアンテナと、
（ｂ）選択セルに登録し、前記選択セルとの通信に通常用いられるアクティブビームを用いて、前記選択セルの近傍セルから受信した信号の測定を実行する手段と、
（ｃ）前記アクティブビームを用いて実行した前記測定の結果に基づいて、前記近傍セルのサブセットを選択する手段と、
（ｄ）前記指向性ビームパターンまたは前記無指向性ビームパターンを用いて、前記サブセット内の前記近傍セルのそれぞれから受信した信号の測定を実行する手段と、
（ｅ）前記サブセット内の前記近傍セルから受信した前記信号の最強の測定結果が、前記選択セルから受信した信号の最良の測定結果よりも高い場合、前記選択セルから前記最強の測定結果を有する前記サブセット内の前記近傍セルへのセルハンドオフを開始する手段と
を備えたことを特徴とする無線送受信ユニット（ＷＴＲＵ）。
【請求項２１】
前記サブセット内の前記近傍セルから受信した前記信号の前記最強の測定結果が、前記選択セルから受信した前記信号の前記最良の測定結果を所定の閾値だけ超える場合、前記セルハンドオフを開始することを特徴とする請求項２０に記載の無線送受信ユニット（ＷＴＲＵ）。
【請求項２２】
前記所定の閾値はゼロであることを特徴とする請求項２１に記載の無線送受信ユニット（ＷＴＲＵ）。
【請求項２３】
複数のセルを含む無線通信システムにおける無線送受信ユニット（ＷＴＲＵ）であって、
（ａ）複数の指向性ビームパターンおよび無指向性ビームパターンを生成する切り替えビームアンテナと、
（ｂ）選択セルに登録し、前記選択セルとの通信に通常用いられるアクティブビームを用いて、前記選択セルの近傍セルから受信した信号の測定を実行する手段と、
（ｃ）前記アクティブビームを用いて実行した前記測定の結果に基づいて、前記近傍セルの第１のサブセットを選択する手段と、
（ｄ）前記無指向性ビームパターンを用いて、前記第１のサブセット内の前記近傍セルのそれぞれから受信した信号の測定を実行する手段と、
（ｅ）前記無指向性ビームパターンを用いて実行した前記測定の結果に基づいて、前記第１のサブセット内の前記近傍セルの第２のサブセットを選択する手段と、
（ｆ）前記指向性ビームパターンを用いて、前記第２のサブセット内の前記近傍セルのそれぞれから受信した信号の測定を実行する手段と、
（ｇ）前記第２のサブセット内の前記近傍セルから受信した前記信号の最強の測定結果が、前記選択セルから受信した信号の最良の測定結果よりも高い場合、前記選択セルから前記最強の測定結果を有する前記第２のサブセット内の前記近傍セルへのセルハンドオフを開始する手段と
を備えたことを特徴とする無線送受信ユニット（ＷＴＲＵ）。
【請求項２４】
前記第２のサブセット内の前記近傍セルから受信した前記信号の前記最強の測定結果が、前記選択セルから受信した前記信号の前記最良の測定結果を所定の閾値だけ超える場合、前記セルハンドオフを開始することを特徴とする請求項２３に記載の無線送受信ユニット（ＷＴＲＵ）。
【請求項２５】
前記所定の閾値はゼロであることを特徴とする請求項２４に記載の無線送受信ユニット（ＷＴＲＵ）。
【請求項２６】
複数のセルを含む無線通信システムにおける無線送受信ユニット（ＷＴＲＵ）であって、
（ａ）複数の指向性ビームパターンおよび無指向性ビームパターンを生成する切り替えビームアンテナと、
（ｂ）選択セルに登録し、前記無指向性ビームパターンを用いて前記選択セルの近傍セルから受信した信号の測定を実行する手段と、
（ｃ）前記無指向性ビームパターンを用いて実行した前記測定の結果に基づいて、前記近傍セルのサブセットを選択する手段と、
（ｄ）前記指向性ビームパターンを用いて、前記サブセット内の前記近傍セルのそれぞれから受信した信号の測定を実行する手段と、
（ｅ）前記サブセット内の前記近傍セルから受信した前記信号の最強の測定結果が、前記選択セルから受信した信号の最良の測定結果よりも高い場合、前記選択セルから前記最強の測定結果を有する前記サブセット内の前記近傍セルへのセルハンドオフを開始する手段と
を備えたことを特徴とする無線送受信ユニット（ＷＴＲＵ）。
【請求項２７】
前記サブセット内の前記近傍セルから受信した前記信号の前記最強の測定結果が、前記選択セルから受信した前記信号の前記最良の測定結果を所定の閾値だけ超える場合、前記セルハンドオフを開始することを特徴とする請求項２６に記載の無線送受信ユニット（ＷＴＲＵ）。
【請求項２８】
前記所定の閾値はゼロであることを特徴とする請求項２７に記載の無線送受信ユニット（ＷＴＲＵ）。
【請求項２９】
複数のセルを含む無線通信システムにおいて、複数の指向性ビームパターンおよび無指向性ビームパターンを生成する切り替えビームアンテナと協働して動作する集積回路（ＩＣ）であって、
（ａ）前記無指向性ビームパターンを用いて、前記セルから受信した信号の測定を実行する手段と、
（ｂ）前記無指向性ビームパターンを用いて実行した前記測定の結果に基づいて、最強の信号を有するセルを選択し、該セルに登録する手段と、
（ｃ）前記指向性ビームパターンを用いて、前記選択セルから受信した信号の測定を実行する手段と、
（ｄ）前記指向性ビームパターンを用いて実行した前記測定の結果に基づいて、前記選択セルとの通信に用いられるアクティブビームとして、最強の信号を有する前記指向性ビームを選択する手段と
を備えたことを特徴とする集積回路（ＩＣ）。
【請求項３０】
複数のセルを含む無線通信システムにおいて、複数の指向性ビームパターンおよび無指向性ビームパターンを生成する切り替えビームアンテナと協働して動作する集積回路（ＩＣ）であって、
（ａ）前記指向性ビームパターンまたは前記無指向性ビームパターンを用いて、前記セルから受信した信号の測定を実行する手段と、
（ｂ）前記指向性ビームパターンまたは前記無指向性ビームパターンを用いて実行した前記測定の結果に基づいて、最強の信号を有するセルとビームとの組み合わせを選択する手段と、
（ｃ）選択セルとの通信に用いられるアクティブビームとして選択ビームを用いて、前記選択セルに登録する手段と
を備えたことを特徴とする集積回路（ＩＣ）。
【請求項３１】
（ｄ）前記選択ビームが無指向性ビームパターンでない場合、指向性ビームパターンとセルとの最良の組み合わせを示す測定結果と、無指向性ビームパターンとセルとの最良の組み合わせを示す測定結果とを比較する手段をさらに備えたことを特徴とする請求項３０に記載の集積回路（ＩＣ）。
【請求項３２】
前記指向性ビームパターンに関連付けられた測定結果が、前記無指向性ビームパターンに関連付けられた測定結果を所定の閾値だけ超える場合、前記指向性ビームパターンを選択し、
前記指向性ビームパターンに関連付けられた測定結果が、前記無指向性ビームパターンに関連付けられた測定結果を超えない場合、前記無指向性ビームパターンを選択することを特徴とする請求項３１に記載のＩＣ。
【請求項３３】
複数のセルを含む無線通信システムにおいて、複数の指向性ビームパターンおよび無指向性ビームパターンを生成する切り替えビームアンテナと協働して動作する集積回路（ＩＣ）であって、
（ａ）前記無指向性ビームパターンを用いて、前記セルから受信した信号の測定を実行する手段と、
（ｂ）前記無指向性ビームパターンを用いて実行した前記測定の結果に基づいて、前記セルのサブセットを選択する手段と、
（ｃ）前記指向性ビームパターンのそれぞれを用いて、前記セルのそれぞれから受信した信号の測定を実行する手段と、
（ｄ）前記指向性ビームパターンのそれぞれを用いて実行した前記測定の結果に基づいて、最強の信号を有するセルとビームとの組み合わせを選択する手段と、
（ｅ）選択セルとの通信に用いられるアクティブビームとして選択ビームを用いて、前記選択セルに登録する手段と
を備えたことを特徴とする集積回路（ＩＣ）。
【請求項３４】
複数のセルを含む無線通信システムにおいて、複数の指向性ビームパターンおよび無指向性ビームパターンを生成する切り替えビームアンテナと協働して動作する集積回路（ＩＣ）であって、
（ａ）選択セルに登録し、前記選択セルとの通信に通常用いられるアクティブビームを用いて、前記選択セルの近傍セルから受信した信号の測定を実行する手段と、
（ｂ）前記アクティブビームを用いて実行した前記測定の結果に基づいて、前記近傍セルのサブセットを選択する手段と、
（ｃ）前記指向性ビームパターンまたは前記無指向性ビームパターンを用いて、前記サブセット内の前記近傍セルのそれぞれから受信した信号の測定を実行する手段と、
（ｄ）前記サブセット内の前記近傍セルから受信した前記信号の最強の測定結果が、前記選択セルから受信した信号の最良の測定結果よりも高い場合、前記選択セルから前記最強の測定結果を有する前記サブセット内の前記近傍セルへのセルハンドオフを開始する手段と
を備えたことを特徴とする集積回路（ＩＣ）。
【請求項３５】
前記サブセット内の前記近傍セルから受信した前記信号の前記最強の測定結果が、前記選択セルから受信した前記信号の前記最良の測定結果を所定の閾値だけ超える場合、前記セルハンドオフを開始することを特徴とする請求項３４に記載の集積回路（ＩＣ）。
【請求項３６】
前記所定の閾値はゼロであることを特徴とする請求項３５に記載の集積回路（ＩＣ）。
【請求項３７】
複数のセルを含む無線通信システムにおいて、複数の指向性ビームパターンおよび無指向性ビームパターンを生成する切り替えビームアンテナと協働して動作する集積回路（ＩＣ）であって、
（ａ）選択セルに登録し、前記選択セルとの通信に通常用いられるアクティブビームを用いて、前記選択セルの近傍セルから受信した信号の測定を実行する手段と、
（ｂ）前記アクティブビームを用いて実行した前記測定の結果に基づいて、前記近傍セルの第１のサブセットを選択する手段と、
（ｃ）前記無指向性ビームパターンを用いて、前記第１のサブセット内の前記近傍セルのそれぞれから受信した信号の測定を実行する手段と、
（ｄ）前記無指向性ビームパターンを用いて実行した前記測定の結果に基づいて、前記第１のサブセット内の前記近傍セルの第２のサブセットを選択する手段と、
（ｅ）前記指向性ビームパターンを用いて、前記第２のサブセット内の前記近傍セルのそれぞれから受信した信号の測定を実行する手段と、
（ｆ）前記第２のサブセット内の前記近傍セルから受信した前記信号の最強の測定結果が、前記選択セルから受信した信号の最良の測定結果よりも高い場合、前記選択セルから前記最強の測定結果を有する前記第２のサブセット内の前記近傍セルへのセルハンドオフを開始する手段と
を備えたことを特徴とする集積回路（ＩＣ）。
【請求項３８】
前記第２のサブセット内の前記近傍セルから受信した前記信号の前記最強の測定結果が、前記選択セルから受信した前記信号の前記最良の測定結果を所定の閾値だけ超える場合、前記セルハンドオフを開始することを特徴とする請求項３７に記載の集積回路（ＩＣ）。
【請求項３９】
前記所定の閾値はゼロであることを特徴とする請求項３８に記載の集積回路（ＩＣ）。
【請求項４０】
複数のセルを含む無線通信システムにおいて、複数の指向性ビームパターンおよび無指向性ビームパターンを生成する切り替えビームアンテナと協働して動作する集積回路（ＩＣ）であって、
（ａ）選択セルに登録し、前記無指向性ビームパターンを用いて、前記選択セルの近傍セルから受信した信号の測定を実行する手段と、
（ｂ）前記無指向性ビームパターンを用いて実行した前記測定の結果に基づいて、前記近傍セルのサブセットを選択する手段と、
（ｃ）前記指向性ビームパターンを用いて、前記サブセット内の前記近傍セルのそれぞれから受信した信号の測定を実行する手段と、
（ｄ）前記サブセット内の前記近傍セルから受信した前記信号の最強の測定結果が、前記選択セルから受信した信号の最良の測定結果よりも高い場合、前記選択セルから前記最強の測定結果を有する前記サブセット内の前記近傍セルへのセルハンドオフを開始する手段と
を備えたことを特徴とする集積回路（ＩＣ）。
【請求項４１】
前記サブセット内の前記近傍セルから受信した前記信号の前記最強の測定結果が、前記選択セルから受信した前記信号の前記最良の測定結果を所定の閾値だけ超える場合、前記セルハンドオフを開始することを特徴とする請求項４０に記載の集積回路（ＩＣ）。
【請求項４２】
前記所定の閾値はゼロであることを特徴とする請求項４１に記載の集積回路（ＩＣ）。
【発明の詳細な説明】
【技術分野】
【０００１】
本発明は、無線マルチセル（multi-cell）通信システムに関する。より詳細には、本発明は、指向性ビーム（directional beam）パターンおよび無指向性ビーム（omni-directional beam）パターンを用いてセルから受信した信号の測定を実行することによってセルを選択し、および再選択する方法および装置に関する。
【背景技術】
【０００２】
無線通信に関連する最も重要な問題の１つは、通信を促進する無線マルチセル通信システムの能力（capacity）を改善する方法である。探求途上の新しい分野の１つでは、指向性ビームアンテナを用いて、基地局と無線送受信ユニット（ＷＴＲＵ）との間の順方向リンクおよび逆方向リンクのリンクマージンを改善しようとする。指向性アンテナの利得を従来の無指向性アンテナより増大させることによって、ＷＴＲＵおよび基地局における受信信号の利得が増大する。
【発明の開示】
【発明が解決しようとする課題】
【０００３】
ＷＴＲＵの電源を入れると、ＷＴＲＵは、初期セルサーチ手順（initial cell search procedure）を実行する。すなわち、ＷＴＲＵは、複数のセルから受信した信号の品質を測定して、最強の信号レベルを有するセルを１つ選択する。例えば、符号分割多重接続（ＣＤＭＡ）システムおいては、ＷＴＲＵは、セルからパイロット信号（pilot signal）を取得し、そのセルに同期する。パイロット信号を取得するために、ＷＴＲＵは、周知のパイロット符号である可能性のあるものを全て検索して、最強のパイロット信号を有するセルを選択する。セルが選択された後、およびＷＴＲＵが別の場所へ移動するとき、ＷＴＲＵはより良いセル（すなわち、より良い品質測定値を有するセル）を見つけてそのセルに登録することもできる。選択セル（selected cell）を再評価する手順は、セル再選択またはアイドルハンドオフ（idle handoff）と呼ばれる。
【０００４】
切り替えビームシステムは、多数の固定の指向性ビームが定義され、送受信機が最高の信号品質および最少の干渉を提供する指向性ビームを選択するシステムである。ＷＴＲＵで指向性アンテナを使用するには、アンテナの最良の指向モード（directional mode）を選択するために各指向性ビームの信号レベルの測定が必要である。ＷＴＲＵは、各指向モードにおいて受信信号レベルを継続的に監視し、環境変化やＷＴＲＵの移動を受け入れるために最善の指向モードを定期的に再選択しなければならない。ＷＴＲＵで受信される信号レベルは、マルチパス伝搬（multi-path propagation）のため絶えず変化する。
【０００５】
初期セル選択手順およびセル再選択手順において、ＷＴＲＵは、切り替えビームシステムを利用することができる。切り替えビームアンテナを備えたＷＴＲＵのセル選択手順およびセル再選択手順を考案する際、選択手順および再選択手順を実行するために費やされる時間と、選択セル／ビームまたは再選択セル／ビームの性能との間にはトレードオフがある。
【課題を解決するための手段】
【０００６】
本発明は、複数の指向性ビームパターンおよび／または無指向性ビームパターンを用いて実行される測定に基づいて、無線通信システムにおけるセルを選択し、または再選択する方法および装置に関する。本システムは、複数のセルおよび少なくとも１つのＷＴＲＵを含む。各セルは、少なくとも１つの基地局によって管理される。ＷＴＲＵは、複数の指向性ビームパターンおよび無指向性ビームパターンの中の１つのビームパターンを生成し、および切り換える切り替えビーム（すなわち、スマート）アンテナを含む。
【０００７】
本発明の第１の実施形態によれば、ＷＴＲＵは、無指向性ビームパターンを用いて複数のセルから受信した信号の測定を実行する。ＷＴＲＵは、無指向性ビームパターンを用いて複数のセルから受信した信号に対して実行した測定の結果に基づいて最強の信号を有するセルを選択する。ＷＴＲＵは、選択セルに登録し、その後、複数の指向性ビームパターンのそれぞれを用いて選択セルから受信した信号の測定を実行する。ＷＴＲＵは、複数の指向性ビームパターンのそれぞれを用いて選択セルから受信した信号に対して実行した測定の結果に基づいて、選択セルと通信するためのアクティブビームとして最強の信号を有する指向性ビームを選択する。
【０００８】
本発明の第２の実施形態によれば、ＷＴＲＵは、複数の指向性ビームパターンまたは無指向性ビームパターンを用いて複数のセルから受信した信号の測定を実行する。ＷＴＲＵは、複数の指向性ビームパターンまたは無指向性ビームパターンを用いて複数のセルから受信した信号に対して実行した測定の結果に基づいて、最強の信号を有するセルとビームとの組み合わせを選択する。ＷＴＲＵは、選択セルと通信するために通常用いられるアクティブビームとして選択ビームを用いて、選択セルに登録する。
【０００９】
本発明の第３の実施形態によれば、ＷＴＲＵは、無指向性ビームパターンを用いて複数のセルから受信した信号の測定を実行する。ＷＴＲＵは、無指向性ビームパターンを用いて複数のセルから受信した信号の測定の結果に基づいて、セルのサブセット（subset）を選択する。ＷＴＲＵは、次に、複数の指向性ビームパターンのそれぞれを用いてサブセット内の各セルから受信した信号の測定を実行する。ＷＴＲＵは、複数の指向性ビームパターンのそれぞれを用いてサブセット内の各セルから受信した信号に対して実行した測定の結果に基づいて、最強の信号を有するセルとビームとの組み合わせを選択する。ＷＴＲＵは、選択セルと通信するために通常用いられるアクティブビームとして選択ビームを用いて選択セルに登録する。
【００１０】
本発明の第４の実施形態によれば、ＷＴＲＵは、選択セルに登録して、選択セルと通信するために通常用いられるアクティブビームを用いて複数の近傍セル（neighboring cell）から受信した信号の測定を実行する。ＷＴＲＵは、アクティブビームを用いて複数の近傍セルから受信した信号に対して実行した測定の結果に基づいて、近傍セルのサブセットを選択する。ＷＴＲＵは、複数の指向性ビームパターンまたは無指向性ビームパターンを用いて近傍セルから受信した信号の測定を実行する。サブセット内の近傍セルから受信した信号の最強の測定結果が、選択セルから受信した信号の最良の測定結果より高いとＷＴＲＵが判定した場合、ＷＴＲＵは、選択セルから最強の測定結果を有するサブセット内の近傍セルへのセルハンドオフ（cell handoff）を開始する。
【００１１】
本発明の第５の実施形態によれば、ＷＴＲＵは、選択セルに登録して、選択セルと通信するために通常用いられるアクティブビームを用いて複数の近傍セルから受信した信号の測定を実行する。ＷＴＲＵは、アクティブビームを用いて複数の近傍セルから受信した信号に対して実行した測定の結果に基づいて、近傍セルの第１のサブセットを選択する。ＷＴＲＵは、無指向性ビームパターンを用いて第１のサブセット内の近傍セルから受信した信号の測定を実行する。ＷＴＲＵは、第１のサブセット内の複数の近傍セルから受信した信号に対して実行した測定の結果に基づいて、近傍セルの第１のサブセットの中の第２のサブセットを選択する。ＷＴＲＵは、複数の指向性ビームパターンのそれぞれを用いて第２のサブセット内の近傍セルから受信した信号の測定を実行する。第２のサブセット内の近傍セルから受信した信号の最強の測定結果が、選択セルから受信した信号の最良の測定結果より高いとＷＴＲＵが判定した場合、ＷＴＲＵは、選択セルから最強の測定結果を有する第２のサブセット内の近傍セルへのセルハンドオフを開始する。
【００１２】
本発明の第６の実施形態によれば、ＷＴＲＵは、選択セルに登録して、無指向性ビームパターンを用いて複数の近傍セルから受信した信号の測定を実行する。ＷＴＲＵは、無指向性ビームパターンを用いて複数の近傍セルから受信した信号に対して実行した測定の結果に基づいて、近傍セルのサブセットを選択する。ＷＴＲＵは、複数の指向性ビームパターンを用いてサブセット内の各近傍セルから受信した信号の測定を実行する。サブセット内の近傍セルから受信した信号の最強の測定結果が、選択セルから受信した信号の最良の測定結果より高いとＷＴＲＵが判定した場合、ＷＴＲＵは、選択セルから最強の測定結果を有するサブセット内の近傍セルへのセルハンドオフを開始する。
【発明を実施するための最良の形態】
【００１３】
以降、「ＷＴＲＵ」という用語は、これらに限定されるものではないが、ユーザ機器（ＵＥ）、移動局、固定式または移動式加入者ユニット、ページャー、または無線環境で動作可能な他の種類の装置を含む。また、以降、言及される場合、「基地局（base station）」という用語は、これらに限定されるものではないが、ノードＢ、サイトコントローラ、アクセスポイント（ＡＰ）、または無線環境における他の種類のインターフェース装置を含む。
【００１４】
本発明の特徴は、集積回路（ＩＣ）に組み込まれることも可能であり、または、多数の相互に接続された構成要素を備える回路に構成されることも可能である。
【００１５】
図１は、本発明によって動作する無線通信システム１００を示す。無線通信システム１００は、複数の基地局１０４および複数のＷＴＲＵ１０２を含む。各基地局１０４は、複数のセル１０６の中の少なくとも１つを管理する。各ＷＴＲＵ１０２は、セル１０６の少なくとも１つに登録され、複数の指向性ビームパターンまたは無指向性ビームパターンを生成するために用いられる切り替えビームアンテナ１０８を含む。ＷＴＲＵ１０２は、複数の指向性ビームパターンおよび無指向性ビームパターンの中の１つのビームを切り換えて、セル１０６の基地局１０４と通信する。
【００１６】
ＷＴＲＵ１０２をオンにすると、初期セルサーチ手順が開始する。初期セルサーチ手順中においては、ＷＴＲＵ１０２は、近傍の複数のセル１０６から信号を受信して、所定の基準により１つのセル１０６を選択する。ＷＴＲＵ１０２は、切り替えビームアンテナ１０８を用いて初期セルサーチ手順中に、無指向性ビームパターンまたは指向性ビームパターンを利用する。ＷＴＲＵ１０２が選択したセル１０６に登録されると、ＷＴＲＵ１０２は、定期的に近傍セルからの信号を監視し、セル再選択手順を通してセルハンドオフを実行する。
【００１７】
図２は、本発明の第１の実施形態による、ＷＴＲＵ１０２の切り替えビームアンテナ１０８を用いてセル１０６を選択する方法ステップを含むプロセス２００の流れ図である。ＷＴＲＵ１０２はオンになると、デフォルトモードに入ることによって、無指向性ビームパターンがＷＴＲＵ１０２の切り替えビームアンテナ１０８から放射される。ステップ２０２で、ＷＴＲＵ１０２は、無指向性ビームパターンを用いて複数のセル１０６から受信した信号の測定を実行する。ステップ２０４で、ＷＴＲＵは、ステップ２０２で実行した測定の結果に基づいて、最強の信号を有するセル１０６を選択する。ステップ２０６で、ＷＴＲＵは、選択セル１０６に登録する（ステップ２０６）。第１の実施形態の利点は、セル選択手順を迅速に実施することができる点にある。
【００１８】
ＷＴＲＵ１０２が選択セル１０６に登録されると、ビーム選択手順が実行される。最良のビームが、全ての規定ビーム（defined beam）（または、代わりとして、規定ビームのサブセット）を評価し、送受信用のＷＴＲＵ１０２の切り替えビームアンテナ１０８によって用いられる最良のビームを判定することによって選択される。ビーム選択手順は、ステップ２０４のセル選択の直後に、またはステップ２０６の登録の直後に実行することができる。ステップ２０６では、ＷＴＲＵ１０２は、選択セル１０６の基地局１０４との通信のために選択セル１０６によって提供される専用チャネル（dedicated channel）に割り当てられる。いずれの場合にも、ＷＴＲＵ１０２は、切り替えビームアンテナ１０８から放射されるビームパターンを複数の指向性ビームパターンのそれぞれへ切り換えながら、選択セル１０６から受信した信号の測定を実行する（ステップ２０８）。ＷＴＲＵ１０２は、次に、ステップ２０８において実行した測定の結果に基づいて、選択セル１０６と通信するためのアクティブビームとして最強の信号を有する指向性ビームを選択する（ステップ２１０）。ＷＴＲＵ１０２は、図５乃至図７を参照して詳細に説明するセル再選択手順を通して、別のセル１０６が選択されるまで、選択セル１０６への登録を維持する。
【００１９】
図３は、本発明の第２の実施形態による、ＷＴＲＵ１０２の切り替えビームアンテナ１０８を用いてセル１０６を選択する方法ステップを含むプロセス３００の流れ図である。ＷＴＲＵ１０２がオンになると、ＷＴＲＵ１０２は、切り替えビームアンテナ１０８から放射されるビームパターンを複数の指向性ビームパターンまたは無指向性ビームパターンへ切り換えることによって、複数のセル１０６から受信した信号の測定を実行する（ステップ３０２）。本実施形態においては、ＷＴＲＵ１０２は、登録するセル１０６ばかりでなく選択セルと通信するためのアクティブビームとして用いられるビームも選択する。ステップ３０４で、ＷＴＲＵ１０２は、ステップ３０２で実行した測定の結果に基づいて、最強の信号を有するセルとビームとの組み合わせを選択する。ステップ３０６で、ＷＴＲＵ１０２は、選択セルと通信するために通常用いられるアクティブビームとして選択ビームを用いて選択セル１０６に登録する。ＷＴＲＵ１０２は、セル再選択手順を通して別のセル１０６が選択されるまで、現在のセル１０６への登録を維持する。
【００２０】
プロセス３００において、無指向性ビームパターンを用いて初期セルサーチ手順を実施することを優先するよう指定することもできる。これによって、選択ビームが無指向性ビームパターンではない場合、指向性ビームパターンとセルとの最良の組み合わせを示す測定結果が無指向性ビームパターンとセルとの最良の組み合わせを示す測定結果と比較される。このように、指向性ビームパターンは、指向性ビームパターンに関連付けられた測定結果が、無指向性ビームパターンに関連付けられた測定結果を所定の閾値だけ超える場合のみ選択される。それ以外の場合は、無指向性ビームパターンが選択される。閾値をゼロに設定することもできる。この場合、無指向性ビームパターンは優先されない。
【００２１】
図４は、本発明の第３の実施形態による、ＷＴＲＵ１０２の切り替えビームアンテナ１０８を用いてセルを選択する方法ステップを含むプロセス４００の流れ図である。ＷＴＲＵ１０２がオンになると、ＷＴＲＵ１０２は、ＷＴＲＵ１０２の切り替えビームアンテナ１０８から放射される無指向性ビームパターンを用いて複数のセル１０６から受信した信号の測定を実行する（ステップ４０２）。ＷＴＲＵ１０２は、次に、ステップ４０２で実行した測定の結果に基づいて、セルのサブセットを選択する（ステップ４０４）。セルのサブセットを選択する際、ＷＴＲＵ１０２は、無指向性ビームパターンを用いた測定結果に基づいて最良のセルを選択することもでき、所定の閾値を上回る測定結果を有するセルを選択することもでき、または、測定対象のセルの数を低減させる別の基準を用いてセルを選択することもできる。これによって、セル選択手順またはセル再選択手順において費やされる時間が低減する。
【００２２】
ＷＴＲＵ１０２は、ＷＴＲＵ１０２の切り替えビームアンテナ１０８から放射される複数の指向性ビームパターンのそれぞれを用いてサブセット内の各セルから受信した信号の測定を実行する（ステップ４０６）。ＷＴＲＵ１０２は、ステップ４０６で実行した測定の結果に基づいて、最強の信号を有するセルとビームとの組み合わせを選択する（ステップ４０８）。ＷＴＲＵ１０２は、選択セルと通信するためのアクティブビームとして選択ビームを用いて選択セル１０６に登録する（ステップ４１０）。ＷＴＲＵ１０２は、セル再選択手順を通して別のセル１０６が選択されるまで、現在のセル１０６への登録を維持する。
【００２３】
プロセス４００では、無指向性ビームパターンを用いて初期セルサーチ手順を実施することを優先するよう指定することもできる。これによって、選択ビームが無指向性ビームパターンではない場合、指向性ビームパターンとセルとの最良の組み合わせを示す測定結果は、無指向性ビームパターンとセルとの最良の組み合わせを示す測定結果と比較される。このように、指向性ビームパターンは、指向性ビームパターンに関連付けられた測定結果が、無指向性ビームパターンに関連付けられた測定結果を所定の閾値だけ超える場合のみ選択される。それ以外の場合は、無指向性ビームパターンが選択される。この閾値をゼロに設定することもできる。この場合、無指向性ビームパターンは優先されない。
【００２４】
図５は、本発明の第４の実施形態による、ＷＴＲＵ１０２の切り替えビームアンテナ１０８を用いてセル１０６を再選択する方法ステップを含むプロセス５００の流れ図である。初期セルサーチ手順が完了し、ＷＴＲＵ１０２が選択セル１０６に登録されると、ＷＴＲＵ１０２は、定期的あるいは非定期的に、選択セル１０６と通信するために通常用いられるアクティブビームを用いて複数の近傍セルから受信した信号の測定を実行する（ステップ５０２）。ＷＴＲＵ１０２は、ステップ５０２で実行した測定の結果に基づいて、近傍セルのサブセットを選択する（ステップ５０４）。近傍セルのサブセットを選択する場合、ＷＴＲＵ１０２は、例えば、測定結果に基づいて最良のセルを選択することもでき、所定の閾値を越える測定結果を有するセルを選択することもでき、または選択セルの測定値を所定の閾値だけ超える測定結果を有するセルを選択することもできる。任意で、セルのサブセットは、測定された全セルを含むことも可能である。
【００２５】
ＷＴＲＵ１０２は、ＷＴＲＵ１０２の切り替えビームアンテナ１０８から放射される複数の指向性ビームパターンまたは無指向性ビームパターンを用いてサブセット内の各近傍セルから受信した信号の測定を実行する（ステップ５０６）。ＷＴＲＵ１０２は、次に、サブセット内の近傍セルから受信した信号の最強の測定結果が、選択セル１０６から受信した信号の最良の測定結果よりも（ゼロに設定することも可能な、所定の閾値だけ）高いか否かを判定する（ステップ５０８）。ステップ５０８における判定が否定的ならば、ＷＴＲＵ１０２は、選択セル１０６への登録を維持し、プロセス５００は終了する。ステップ５０８における判定が肯定的ならば、ＷＴＲＵ１０２は、選択セルから最強の測定結果を有するサブセット内の近傍セルへのセルハンドオフを開始する（すなわち、セル再選択プロセスを実行する）（ステップ５１０）。
【００２６】
図６は、本発明の第５の実施形態による、ＷＴＲＵ１０２の切り替えビームアンテナ１０８を用いてセル１０６を再選択する方法ステップを含むプロセス６００の流れ図である。初期セルサーチ手順が完了し、ＷＴＲＵ１０２が選択セル１０６に登録されると、ＷＴＲＵ１０２は、定期的あるいは非定期的に、選択セル１０６と通信するために通常用いられるアクティブビームを用いて複数の近傍セルから受信した信号の測定を実行する（ステップ６０２）。ＷＴＲＵ１０２は、ステップ６０２で実行した測定の結果に基づいて、近傍セルの第１のサブセットを選択する（ステップ６０４）。近傍セルの第１のサブセットを選択する場合、ＷＴＲＵ１０２は、例えば、測定結果に基づいて最良のセルを選択することもでき、所定の閾値を越える測定結果を有するセルを選択することもでき、または選択セルの測定値を所定の閾値だけ超える測定結果を有するセルを選択することもできる。任意で、セルの第１のサブセットは、測定された全セルを含むことも可能である。
【００２７】
ＷＴＲＵ１０２は、ＷＴＲＵ１０２の切り替えビームアンテナ１０８から放射される無指向性ビームパターンを用いて第１のサブセット内の近傍セルから受信した信号の測定を実行する（ステップ６０６）。ＷＴＲＵ１０２は、次に、ステップ６０６で実行した測定の結果に基づいて、近傍セルの第１のサブセットの中の第２のサブセットを選択する（ステップ６０８）。近傍セルの第２のサブセットを選択する場合、ＷＴＲＵ１０２は、例えば、測定結果に基づいて最良のセルを選択することもでき、所定の閾値を上回る測定結果を有するセルを選択することもでき、または選択セルの測定値を所定の閾値だけ超える測定結果を有するセルを選択することもできる。任意で、サブセットは、第１のサブセットに属する全セルを含むことも可能である。
【００２８】
ＷＴＲＵ１０２は、ＷＴＲＵ１０２の切り替えビームアンテナ１０８から放射される複数の指向性ビームパターンのそれぞれを用いて第２のサブセット内の近傍セルから受信した信号の測定を実行する（ステップ６１０）。ＷＴＲＵ１０２は、次に、第２のサブセット内の近傍セルから受信した信号の最強の測定結果が、選択セル１０６から受信した信号の最良の測定結果よりも（ゼロに設定することも可能な、所定の閾値だけ）高いか否かを判定する（ステップ６１２）。ステップ６１２における判定が否定的ならば、ＷＴＲＵ１０２は選択セル１０６への登録を維持し、プロセス６００は終了する。ステップ６１２における判定が肯定的ならば、ＷＴＲＵ１０２は、選択セルから最強の測定結果を有する第２のサブセット内の近傍セルへのセルハンドオフを開始する（すなわち、セル再選択プロセスを実行する）（ステップ６１４）。
【００２９】
図７は、本発明の第６の実施形態による、ＷＴＲＵ１０２の切り替えビームアンテナ１０８を用いてセル１０６を再選択する方法ステップを含むプロセス７００の流れ図である。初期セルサーチ手順が完了し、ＷＴＲＵ１０２が選択セル１０６に登録されると、ＷＴＲＵ１０２は、定期的あるいは非定期的に、ＷＴＲＵ１０２の切り替えビームアンテナ１０８から放射される無指向性ビームパターンを用いて複数の近傍セルから受信した信号を測定する（ステップ７０２）。ＷＴＲＵ１０２は、ステップ７０２で実行した測定の結果に基づいて、近傍セルのサブセットを選択する（ステップ７０４）。近傍セルのサブセットを選択する場合、ＷＴＲＵ１０２は、例えば、測定結果に基づいて最良のセルを選択することもでき、所定の閾値を上回る測定結果を有するセルを選択することもでき、または選択セルの測定値を所定の閾値だけ超える測定結果を有するセルを選択することもできる。任意で、セルの第１のサブセットは、測定された全セルを含むことも可能である。
【００３０】
ＷＴＲＵ１０２は、ＷＴＲＵ１０２の切り替えビームアンテナ１０８から放射される複数の指向性ビームパターンを用いてサブセット内の各近傍セルから受信した信号の測定を実行する（ステップ７０６）。ＷＴＲＵ１０２は、次に、サブセット内の近傍セルから受信した信号の最強の測定結果が、選択セルから受信した信号の最良の測定結果よりも（ゼロに設定することも可能な、所定の閾値だけ）高いか否かを判定する（ステップ７０８）。ステップ７０８における判定が否定的ならば、ＷＴＲＵ１０２は選択セル１０６への登録を維持し、プロセス７００は終了する。ステップ７０８における判定が肯定的ならば、ＷＴＲＵ１０２は、選択セルから最強の測定結果を有するサブセット内の近傍セルへのセルハンドオフを開始する（すなわち、セル再選択プロセスを実行する）（ステップ７１０）。
【００３１】
図８は、本発明による切り替えビームアンテナ１０８を用いてセルを選択し、および再選択するよう構成されたＷＴＲＵ１０２のブロック図である。ＷＴＲＵ１０２は、切り替えビームアンテナ１０８、ビーム切り換え部１１４、送受信機１１６、測定部１１８、およびプロセッサ１２０を備える。切り替えビームアンテナ１０８は、複数の指向性ビームパターンおよび無指向性ビームパターンを選択的に生成するために用いられる複数のアンテナ素子（element）を備える。
【００３２】
図９は、図８に示すように、ＷＴＲＵ１０２の切り替えビームアンテナ１０８によって生成される例示的な指向性ビームパターンである。図９にはビームパターンが８本図示されているが、任意の数のビームパターンを生成することができる点に留意されたい。このように、本発明は、いずれか特定の数のビームパターンに限定されると解釈すべきではない。
【００３３】
ビーム切り換え部１１４は、ビームパターンを複数の指向性ビームパターンの１つに切り換えたり、および指向性ビームパターンのうちの１つと無指向性ビームパターンとの間で切り換えたりするものである。送受信機１１６は、切り替えビームアンテナ１０８から信号を受信し、測定部１１８へその信号を供給する。測定部１１８は、切り替えビームアンテナ１０８から受信した信号の品質を測定するために用いられるベースバンド処理部の一部である。プロセッサ１２０は、ビーム切り換え部１１４、送受信機１１６、および測定部１１８を制御し、図２乃至図７に示す上記のプロセス２００乃至プロセス７００をそれぞれ実施する。
【００３４】
本発明は、二次元平面空間に限定されるものではなく、三次元平面空間にも適用可能である点に留意されたい。
【００３５】
本発明の特徴および要素について、好適な実施形態において特定の組み合わせで説明したが、各特徴あるいは要素は、好適な実施形態の他の特徴および要素とは別個に単独で用いることができ、また、本発明の他の特徴および要素と様々に組み合わせて、あるいは組み合わせずに使用可能である。
【００３６】
本発明について好適な実施形態に関して説明してきたが、特許請求の範囲において要点を述べたような本発明の範囲内である他の可能な変更は当業者には明白であろう。
【図面の簡単な説明】
【００３７】
【図１】本発明によって動作する無線通信システムを示す図である。
【図２】図１のシステムに含まれるＷＴＲＵによって実施される、登録するセルを選択し、および選択セルと通信するために用いられるビームを選択する方法ステップを含むプロセスの流れ図である。
【図３】図１のシステムに含まれるＷＴＲＵによって実施される、登録するセルを選択し、および選択セルと通信するために用いられるビームを選択する方法ステップを含むプロセスの流れ図である。
【図４】図１のシステムに含まれるＷＴＲＵによって実施される、登録するセルを選択し、および選択セルと通信するために用いられるビームを選択する方法ステップを含むプロセスの流れ図である。
【図５】図１のシステムに含まれるＷＴＲＵによって実施される、セルを再選択する方法ステップを含むプロセスの流れ図である。
【図６】図１のシステムに含まれるＷＴＲＵによって実施される、セルを再選択する方法ステップを含むプロセスの流れ図である。
【図７】図１のシステムに含まれるＷＴＲＵによって実施される、セルを再選択する方法ステップを含むプロセスの流れ図である。
【図８】図１のシステムに含まれるＷＴＲＵのブロック図である。
【図９】図８のＷＴＲＵによって生成される指向性ビームパターンの一例を示す図である。
【図１】
2007525893.tif 000003
【図２】
2007525893.tif 000004
【図３】
2007525893.tif 000005
【図４】
2007525893.tif 000006
【図５】
2007525893.tif 000007
【図６】
2007525893.tif 000008
【図７】
2007525893.tif 000009
【図８】
2007525893.tif 000010
【図９】
2007525893.tif 000011
【国際調査報告】
2007525893.tif 000012
2007525893.tif 000013